(57)【要約】【課題】消費電力の増大を抑制しつつも、キックバック現象の発生を抑制することのできる電気泳動表示装置、電気泳動表示装置の駆動方法及び電子機器を提供する。【解決手段】表示すべき画像に応じて高電位電源あるいは低電位電源ＶＳＳの駆動電圧ＶＳＥＧ０〜ＶＳＥＧ２が印加される複数のセグメント電極ＳＥＧ０〜ＳＥＧ２を備える。このセグメント電極ＳＥＧ０〜ＳＥＧ２に対向して配置され、高電位電源と低電位電源ＶＳＳとが所定期間ごとに反転されて印加される共通電極ＣＯＭを備える。これらセグメント電極ＳＥＧ０〜ＳＥＧ２と共通電極ＣＯＭ間には、電気泳動粒子３１及び分散媒３２を封止した多数のマイクロカプセル３０が配置される。各セグメント電極ＳＥＧ０〜ＳＥＧ２に接続される信号線Ｓ０〜Ｓ２と低電位電源ＶＳＳとの間にキャパシタＣ１をそれぞれ接続するようにした。【選択図】図１
2008242382.tif 000002
【特許請求の範囲】
【請求項１】
表示すべき画像に応じて高電位電源あるいは低電位電源が印加される複数のセグメント
電極と、前記複数のセグメント電極に対向して配置され、前記高電位電源と前記低電位電
源とが所定の周期で交互に印加される共通電極と、前記共通電極と前記セグメント電極と
の間に配置される電気泳動粒子を含有する分散系とを備えた電気泳動表示装置において、
前記各セグメント電極と前記低電位電源との間に容量素子を接続したことを特徴とする
電気泳動表示装置。
【請求項２】
前記容量素子は、前記各セグメント電極に前記高電位電源あるいは前記低電位電源を供
給する信号線と前記低電位電源との間に接続されることを特徴とする請求項１に記載の電
気泳動表示装置。
【請求項３】
共通電極と画素電極との間に配置される電気泳動粒子を含有する分散系と、表示すべき
画像に応じたデータ信号を保持し、該データ信号に応じて高電位電源あるいは低電位電源
を前記画素電極に印加するメモリ回路とを有し、マトリクス状に配列された多数の画素回
路を備えた電気泳動表示装置において、
前記各画素電極と前記低電位電源との間に容量素子を接続したことを特徴とする電気泳
動表示装置。
【請求項４】
前記容量素子は、前記各画素電極に前記高電位電源あるいは前記低電位電源を供給する
信号線と前記低電位電源との間に接続されることを特徴とする請求項３に記載の電気泳動
表示装置。
【請求項５】
前記共通電極は、前記低電位電源が印加されているときに、電圧の印加が停止されてハ
イインピーダンスに設定されることを特徴とする請求項１〜４のいずれか１つに記載の電
気泳動表示装置。
【請求項６】
表示すべき画像に応じて高電位電源あるいは低電位電源が印加される複数の分割電極と
、前記複数の分割電極に対向して配置され、前記高電位電源と前記低電位電源とが所定の
周期で交互に印加される共通電極と、前記共通電極と前記分割電極との間に配置される電
気泳動粒子を含有する分散系とを備えた電気泳動表示装置において、
前記共通電極は、前記低電位電源が印加されているときに、電圧の印加が停止されてハ
イインピーダンスに設定されることを特徴とする電気泳動表示装置。
【請求項７】
表示すべき画像に応じて高電位電源あるいは低電位電源が印加される複数の分割電極と
、前記複数の分割電極に対向して配置され、前記高電位電源と前記低電位電源とが所定の
周期で交互に印加される共通電極と、前記共通電極と前記分割電極との間に配置される電
気泳動粒子を含有する分散系と、前記共通電極及び前記複数の分割電極への電圧印加を制
御する制御回路を備えた電気泳動表示装置の駆動方法において、
前記制御回路は、
前記共通電極に前記低電位電源を印加しているときに、前記複数の分割電極及び前記共
通電極への電圧の印加を停止してハイインピーダンスに設定することを特徴とする電気泳
動表示装置の駆動方法。
【請求項８】
請求項１〜７のいずれか１つに記載の電気泳動表示装置を備えた電子機器。
【発明の詳細な説明】
【技術分野】
【０００１】
本発明は、電気泳動表示装置、電気泳動表示装置の駆動方法及び電子機器に関するもの
である。
【背景技術】
【０００２】
非発光型の表示デバイスとして、電気泳動現象を利用した電気泳動表示装置が知られて
いる。ここで、電気泳動現象とは、液体中（分散媒）に微粒子（電気泳動粒子）を分散さ
せた分散系に、電界を印加したときに微粒子がクーロン力により泳動する現象である。
【０００３】
このような電気泳動表示装置の駆動方式の一つとしてセグメント方式がある。このセグ
メント方式では、電気泳動表示体を駆動する電極を分割し、分割されたセグメント電極ご
とに表示制御を行うことにより、電気泳動表示パネルに表示パターンを形成させることが
できる。
【０００４】
この電気泳動表示パネルは、図１１に示すように、複数のセグメント電極ＳＥＧ０〜Ｓ
ＥＧ２が形成された素子基板（セグメント基板）１０と、平面状の透明電極からなる共通
電極ＣＯＭの形成された透過性材料からなる対向基板２０とから構成されている。複数の
セグメント電極ＳＥＧ０〜ＳＥＧ２と共通電極ＣＯＭとの間には、電気泳動粒子３１及び
分散媒３２からなる分散系を封止した多数のマイクロカプセル３０が配置されている。図
１１では、電気泳動粒子３１として、負に帯電した白粒子３１Ｗと、正に帯電した黒粒子
３１Ｂとを用いている。
【０００５】
これらセグメント電極ＳＥＧ０〜ＳＥＧ２と共通電極ＣＯＭとの電極間に電位差を与え
ると電界が生じ、正あるいは負に帯電した白粒子３１Ｗあるいは黒粒子３１Ｂがそれぞれ
対応する電位が与えられている電極に引き寄せられる。そして、共通電極ＣＯＭ及び対向
基板２０側から表示パターンが観察される場合、共通電極ＣＯＭ側に引き寄せられた電気
泳動粒子３１の色が観察される。すなわち、共通電極ＣＯＭ側に白粒子３１Ｗが近づくほ
ど反射率が上昇して白表示に近づき、共通電極ＣＯＭ側に黒粒子３１Ｂが近づくほど入射
光が吸収されるため、反射率が低下して黒表示に近づく。
【０００６】
この種の電気泳動表示装置では、図１２に示すように、各セグメント電極ＳＥＧ０〜Ｓ
ＥＧ２に、表示パターンに応じて低電位電源ＶＳＳあるいは高電位電源ＨＶＤＤを印加す
るとともに、共通電極ＣＯＭに、低電位電源ＶＳＳと高電位電源ＨＶＤＤとを所定期間ご
とに反転させて印加するコモン振り駆動が提案されている（例えば、特許文献１参照）。
【０００７】
共通電極ＣＯＭに高電位電源ＨＶＤＤが印加される期間ｔ１では、低電位電源ＶＳＳが
印加されているセグメント電極ＳＥＧ０と共通電極ＣＯＭとの間で電位差が生じて電界が
生じる。これにより、共通電極ＣＯＭ側に負の白粒子３１Ｗが集まって、対応するセグメ
ントに白色が書き込まれる。
【０００８】
一方、共通電極ＣＯＭに低電位電源ＶＳＳが印加される期間ｔ２では、高電位電源ＨＶ
ＤＤが印加されているセグメント電極ＳＥＧ１と共通電極ＣＯＭとの間で電位差が生じて
電界が生じる。これにより、共通電極ＣＯＭ側に正の黒粒子３１Ｂが集まって、対応する
セグメントに黒色が書き込まれる。
【０００９】
このようにコモン振り駆動によれば、対応するセグメントに対してそれぞれ黒色と白色
とが交互（期間ｔ１と期間ｔ２ごと）に書き込まれる。このコモン振りの周期（ｔ１＋ｔ
２）を所定時間（例えば、２００ｍｓ）以下に設定することにより、人間の目に黒色と白
色とを同時に書き込んでいるように見せることができる。さらに、コモン振り駆動では、
セグメント電極ＳＥＧ０〜ＳＥＧ２と共通電極ＣＯＭとの電位を高電位電源ＨＶＤＤ及び
低電位電源ＶＳＳの２値で制御できるため、回路構成を簡便化できるという利点がある。
【００１０】
また、電気泳動表示装置の駆動方式としては、上記セグメント方式の他にもアクティブ
マトリクス方式が知られている。とくに、近年、高速動作性、表示画像の切り替えの容易
さなどの要求から素子基板上にマトリクス状に配置された各画素回路Ｇに、図１３に示す
ように、２つのインバータ回路ＩＮＶ１，ＩＮＶ２からなるメモリ回路Ｍを備えたアクテ
ィブマトリクス方式が採用されている（例えば、特許文献２参照）。
【００１１】
この種のアクティブマトリクス方式の電気泳動表示装置では、各画素回路Ｇに設けられ
た画素電極Ｐごとに表示制御を行うことにより、電気泳動表示パネルに表示パターンを形
成させることができる。すなわち、この種の電気泳動表示装置においても、先の図１２の
駆動方式と同様に、各画素回路Ｇの画素電極Ｐと共通電極ＣＯＭとに表示パターンに応じ
た電位差を与えて、両電極間に配置された分散系を駆動することにより、電気泳動表示パ
ネルに表示パターンを形成させることができる。
【特許文献１】特開昭５２−７０７９１号公報
【特許文献２】特開２００３−８４３１４号公報
【特許文献３】特表２００５−５１９３３０号公報
【発明の開示】
【発明が解決しようとする課題】
【００１２】
ところで、上述した電気泳動表示装置では、電気泳動表示パネルに所望の表示パターン
が形成されると、セグメント電極ＳＥＧ（画素電極Ｐ）及び共通電極ＣＯＭへの電圧印加
を停止し、各電極をハイインピーダンス（Ｈｉ−Ｚ）に設定することにより、上記電気泳
動粒子３１の移動を停止して表示パターンを保持する。しかしながら、この種の電気泳動
表示装置では、各電極をハイインピーダンスに設定したときに、各電極側に移動した電気
泳動粒子が電気泳動表示パネルの厚さ方向における中心方向に引き戻される、いわゆるキ
ックバック現象が発生する場合がある。このキックバック現象が発生すると、電気泳動粒
子が所望の位置から移動してしまうため、電気泳動表示パネルの表示パターンが変化して
コントラストが低下し、視認性が悪化するという問題がある。
【００１３】
このキックバック現象は、電気泳動表示パネルの湿度を制御することにより低減するこ
とが可能ではあるものの、定量的に制御することは困難である。
また、表示パターンの保持期間において、コントラストの低下分を補償するために各電
極に再度駆動電圧を印加する駆動方法も提案されている（例えば、特許文献３参照）。た
しかに、この駆動方法によれば、視認性の悪化を抑制することができるものの、表示パタ
ーンの保持期間において各電極に駆動電圧を印加するために消費電力が増大するという新
たな問題が発生する。
【００１４】
本発明は上記問題点を解決するためになされたものであって、その目的は、消費電力の
増大を抑制しつつも、キックバック現象の発生を抑制することのできる電気泳動表示装置
、電気泳動表示装置の駆動方法及び電子機器を提供することにある。
【課題を解決するための手段】
【００１５】
本発明の電気泳動表示装置は、表示すべき画像に応じて高電位電源あるいは低電位電源
が印加される複数のセグメント電極と、前記複数のセグメント電極に対向して配置され、
前記高電位電源と前記低電位電源とが所定の周期で交互に印加される共通電極と、前記共
通電極と前記分割電極との間に配置される電気泳動粒子を含有する分散系とを備えた電気
泳動表示装置において、前記各セグメント電極と前記低電位電源との間に容量素子を接続
した。
【００１６】
通常、共通電極の電極面積は、各セグメント電極の電極面積よりも極めて大きく形成さ
れる。そのため、共通電極の持つ容量は、各セグメント電極の持つ容量よりも大きくなる
。従って、例えば共通電極及びセグメント電極の両電極に高電位電源が印加されている状
態から、両電極がハイインピーダンスに設定されると、大きな容量を持つ共通電極の電圧
が緩やかに低下するのに対して、容量の小さいセグメント電極の電圧が急嵯に低下するこ
とになる。この両電極の電圧変化の違いにより、両電極の電圧関係が表示画像に応じた大
小関係とは反対の大小関係になる期間が発生してしまう。これにより、キックバック現象
が発生するものと考えられる。
【００１７】
これに対して、本発明の電気泳動表示装置によれば、各セグメント電極と低電位電源と
の間に接続された容量素子によって、各セグメント電極の持つ容量を増大させることがで
きる。そのため、例えば高電位電源の印加されているセグメント電極をハイインピーダン
スに設定したときの該セグメント電極の電圧を、共通電極の場合と同様に緩やかに低下さ
せることができるようになる。これにより、ハイインピーダンス設定後においても、その
セグメント電極と共通電極との電圧関係が表示画像に応じた大小関係に維持されるため、
キックバック現象の発生を好適に抑制することができる。
【００１８】
また、キックバック現象の発生を未然に抑制することができるため、特許文献３の駆動
方法のように、ハイインピーダンス設定後に再度駆動電圧を印加する必要がないため、消
費電力の増大を抑制することができる。
【００１９】
この電気泳動表示装置において、前記容量素子は、前記各セグメント電極に前記高電位
電源あるいは前記低電位電源を供給する信号線と前記低電位電源との間に接続されるよう
にしてもよい。
【００２０】
この電気泳動表示装置によれば、各セグメント電極に接続される信号線と低電位電源と
の間に接続される容量素子によって、各セグメント電極の持つ容量を増大させることがで
きる。
【００２１】
本発明の電気泳動表示装置は、共通電極と画素電極との間に配置される電気泳動粒子を
含有する分散系と、表示すべき画像に応じたデータ信号を保持し、該データ信号に応じて
高電位電源あるいは低電位電源を前記画素電極に印加するメモリ回路とを有し、マトリク
ス状に配列された多数の画素回路を備えた電気泳動表示装置において、前記各画素電極と
前記低電位電源との間に容量素子を接続した。
【００２２】
本発明の電気泳動表示装置によれば、各画素電極と低電位電源との間に接続された容量
素子によって、各画素電極の持つ容量を増大させることができる。そのため、例えば高電
位電源の印加されている画素電極をハイインピーダンスに設定したときの該画素電極の電
圧を、共通電極の場合と同様に緩やかに低下させることができるようになる。これにより
、ハイインピーダンス設定後においても、その画素電極と共通電極との電圧関係が表示画
像に応じた大小関係に維持されるため、キックバック現象の発生を好適に抑制することが
できる。
【００２３】
この電気泳動表示装置において、前記容量素子は、前記各画素電極に前記高電位電源あ
るいは前記低電位電源を供給する信号線と前記低電位電源との間に接続されるようにして
もよい。
【００２４】
この電気泳動表示装置によれば、各画素電極に接続される信号線と低電位電源との間に
接続される容量素子によって、各画素電極の容量成分を増大させることができる。
この電気泳動表示装置において、前記共通電極は、前記低電位電源が印加されていると
きに、電圧の印加が停止されてハイインピーダンスに設定されるようにしてもよい。
【００２５】
この電気泳動表示装置によれば、ハイインピーダンス設定時に共通電極の電圧が低電位
電源となる。そのため、その共通電極の電圧が、ハイインピーダンス設定後において、ハ
イインピーダンス設定前に高電位電源が印加されていたセグメント電極（画素電極）の電
圧よりも高電圧になることが抑制される。従って、キックバック現象の発生をより好適に
抑制することができる。
【００２６】
本発明の電気泳動表示装置は、表示すべき画像に応じて高電位電源あるいは低電位電源
が印加される複数の分割電極と、前記複数の分割電極に対向して配置され、前記高電位電
源と前記低電位電源とが所定の周期で交互に印加される共通電極と、前記共通電極と前記
分割電極との間に配置される電気泳動粒子を含有する分散系とを備えた電気泳動表示装置
において、前記共通電極は、前記低電位電源が印加されているときに、電圧の印加が停止
されてハイインピーダンスに設定される。
【００２７】
通常、共通電極の電極面積は、各分極電極の電極面積よりも極めて大きく形成される。
そのため、共通電極の持つ容量は、各分割電極の持つ容量よりも大きくなる。従って、例
えば共通電極及び分割電極の両電極に高電位電源が印加されている状態から、両電極がハ
イインピーダンスに設定されると、大きな容量を持つ共通電極の電圧が緩やかに低下する
のに対して、容量の小さい分割電極の電圧が急嵯に低下することになる。この両電極の電
圧変化の違いにより、両電極の電圧関係が表示画像に応じた大小関係とは反対の大小関係
になる期間が発生してしまう。これにより、キックバック現象が発生するものと考えられ
る。
【００２８】
これに対して、本発明の電気泳動表示装置によれば、ハイインピーダンス設定時に共通
電極の電圧が低電位電源となる。そのため、ハイインピーダンス設定後において、その共
通電極の電圧が、ハイインピーダンス設定前に高電位電源が印加されていた分割電極の電
圧よりも高電圧になることが抑制される。従って、キックバック現象の発生をより好適に
抑制することができる。
【００２９】
また、キックバック現象の発生を未然に抑制することができるため、特許文献３の駆動
方法のように、ハイインピーダンス設定後に再度駆動電圧を印加する必要がないため、消
費電力の増大を抑制することができる。
【００３０】
本発明の電気泳動表示装置の駆動方法は、表示すべき画像に応じて高電位電源あるいは
低電位電源が印加される複数の分割電極と、前記複数の分割電極に対向して配置され、前
記高電位電源と前記低電位電源とが所定の周期で交互に印加される共通電極と、前記共通
電極と前記分割電極との間に配置される電気泳動粒子を含有する分散系と、前記共通電極
及び前記複数の分割電極への電圧印加を制御する制御回路を備えた電気泳動表示装置の駆
動方法において、前記制御回路は、前記共通電極に前記低電位電源を印加しているときに
、前記各分割電極及び前記共通電極への電圧の印加を停止して前記各分割電極及び前記共
通電極をハイインピーダンスに設定する。
【００３１】
本発明の電気泳動表示装置の駆動方法によれば、ハイインピーダンス設定時に共通電極
の電圧が低電位電源となる。そのため、ハイインピーダンス設定後において、その共通電
極の電圧が、ハイインピーダンス設定前に高電位電源が印加されていた分割電極の電圧よ
りも高電圧になることが抑制される。従って、キックバック現象の発生をより好適に抑制
することができる。
【００３２】
本発明の電子機器は、上述した電気泳動表示装置を備えるあらゆる機器を含むもので、
ディスプレイ装置、テレビジョン装置、電子ブック、電子ペーパ、時計、電卓、携帯電話
、携帯情報端末等を含む。また、「機器」という概念から外れるもの、例えば可撓性のあ
る紙状／フィルム状の物体、これら物体が貼り付けられた壁面等の不動産に属するもの、
車両、飛行体、船舶等の移動体に属するものを含む。
【発明を実施するための最良の形態】
【００３３】
（第１実施形態）
以下、本発明を電気泳動表示装置に具体化した第１実施形態を図１〜図４に従って説明
する。この電気泳動表示装置は、電気泳動表示パネル１とその電気泳動表示パネル１を駆
動する駆動装置２とを含んで構成される。
【００３４】
図１は、電気泳動表示装置を概略的に説明する説明図である。図１に示すように、電気
泳動表示パネル１は、ガラスや半導体等からなるセグメント基板１０と、ガラスやプラス
チック等の透光性材料からなる対向基板２０とが対向配置されて構成されている。セグメ
ント基板１０の一側面には、複数の分割電極を構成するセグメント電極ＳＥＧ、すなわち
セグメント電極ＳＥＧ０，ＳＥＧ１，ＳＥＧ２が形成されている。対向基板２０の一側面
には、ＩＴＯ（インジウム錫酸化物）等の透明導電材料からなる平面状の共通電極ＣＯＭ
が形成されている。
【００３５】
セグメント基板１０と対向基板２０とは一定の間隙を保って、各々の一側面に形成され
た各電極が対向するように貼り合わされている。このセグメント基板１０と対向基板２０
との間隙には、電気泳動粒子３１及び分散媒３２を封止した多数のマイクロカプセル３０
が配置されている。図１では、電気泳動粒子３１として、負に帯電した白粒子３１Ｗと、
正に帯電した黒粒子３１Ｂとを用いている。なお、電気泳動粒子３１の重力による沈降等
を避けるため、電気泳動粒子３１の比重と分散媒３２の比重とがほぼ等しくなるように設
定されている。
【００３６】
制御回路としての駆動装置２は、表示すべき画像（表示パターン）に応じた駆動電圧Ｖ
ＳＥＧ０〜ＶＳＥＧ２を、信号線Ｓ０〜Ｓ２を通じて各セグメント電極ＳＥＧ０〜ＳＥＧ
２にそれぞれ印加する。駆動装置２は、信号線ＳＣを通じて共通電極ＣＯＭに、高電位電
源ＨＶＤＤ（例えば、１５Ｖ）と低電位電源ＶＳＳ（例えば、０Ｖ）とが所定期間ごとに
反転する反転駆動電圧を共通電極電圧ＶＣＯＭとして印加する。
【００３７】
各セグメント電極ＳＥＧ０〜ＳＥＧ２に接続された信号線Ｓ０〜Ｓ２は、キャパシタＣ
１を介して低電位電源ＶＳＳ（ここでは、ＧＮＤ）に接続されている。すなわち、キャパ
シタＣ１は、各信号線Ｓ０〜Ｓ２（各セグメント電極ＳＥＧ０〜ＳＥＧ２）と低電位電源
ＶＳＳとの間に接続されている。このキャパシタＣ１により、各セグメント電極ＳＥＧ０
〜ＳＥＧ２の持つ容量が増大する。
【００３８】
次に、このように構成された電気泳動表示装置の駆動方法について図２に従って説明す
る。なお、ここでは、セグメント電極ＳＥＧ０に白表示、セグメント電極ＳＥＧ１に黒表
示を行わせる場合について説明する。
【００３９】
駆動装置２は、図２に示すように、白表示すべきセグメント電極ＳＥＧ０に低電位電源
ＶＳＳの駆動電圧ＶＳＥＧ０を印加するとともに、黒表示すべきセグメント電極ＳＥＧ１
に高電位電源ＨＶＤＤの駆動電圧ＶＳＥＧ１を印加する。また、駆動装置２は、共通電極
ＣＯＭに、共通電極電圧ＶＣＯＭとして高電位電源ＨＶＤＤと低電位電源ＶＳＳとを所定
の周期で交互に印加する。なお、本実施形態では、共通電極ＣＯＭに高電位電源ＨＶＤＤ
が印加される期間を１００ｍｓとし、共通電極ＣＯＭに低電位電源ＶＳＳが印加される期
間を１００ｍｓとする。
【００４０】
共通電極ＣＯＭに高電位電源ＨＶＤＤの共通電極電圧ＶＣＯＭが印加される期間では、
低電位電源ＶＳＳの駆動電圧ＶＳＥＧ０が印加されているセグメント電極ＳＥＧ０と共通
電極ＣＯＭとの間で電位差が生じる。この両電極間に生じる電位差により、セグメント電
極ＳＥＧ０側に正の黒粒子３１Ｂが集まり、共通電極ＣＯＭ側に負の白粒子３１Ｗが集ま
って白色が書き込まれる。
【００４１】
一方、共通電極ＣＯＭに低電位電源ＶＳＳの共通電極電圧ＶＣＯＭが印加される期間で
は、高電位電源ＨＶＤＤの駆動電圧ＶＳＥＧ１が印加されているセグメント電極ＳＥＧ１
と共通電極ＣＯＭとの間で電位差が生じる。この両電極間に生じる電位差により、セグメ
ント電極ＳＥＧ１側に負の白粒子３１Ｗが集まり、共通電極ＣＯＭ側に正の黒粒子３１Ｂ
が集まって黒色が書き込まれる。
【００４２】
共通電極ＣＯＭに反転駆動電圧が所定周期印加されると、電気泳動表示パネル１に所望
の表示パターンが形成される。すなわち、ここではセグメント電極ＳＥＧ０に対応するセ
グメントが白表示となり、セグメント電極ＳＥＧ１に対応するセグメントが黒表示となる
。
【００４３】
次に、電気泳動表示パネル１への表示パターンの形成（分散系の駆動）が終了すると、
共通電極ＣＯＭ及び各セグメント電極ＳＥＧ０〜ＳＥＧ２への電圧印加が停止され、各電
極がハイインピーダンス（Ｈｉ−Ｚ）に設定されて電気泳動表示パネル１の表示パターン
が保持される。
【００４４】
このとき、従来の電気泳動表示装置の場合には、各電極ＣＯＭ，ＳＥＧ０〜ＳＥＧ２側
に移動した電気泳動粒子３１が電気泳動表示パネルの厚さ方向における中心方向に引き戻
される、いわゆるキックバック現象が発生するおそれがあることは前述した。
【００４５】
本発明者らは、低電位電源ＶＳＳが印加されてからＨｉ−Ｚに設定されたセグメント電
極ＳＥＧに対応するセグメントよりも、高電位電源ＨＶＤＤが印加されてからＨｉ−Ｚに
設定されたセグメント電極ＳＥＧに対応するセグメントの方がキックバック現象の発生率
が高くなることを見出した。すなわち、図１１及び図１２の例では、セグメント電極ＳＥ
Ｇ０に対応するセグメントよりも、セグメント電極ＳＥＧ１に対応するセグメントの方が
キックバック現象が発生しやすい。
【００４６】
このことから、各セグメント電極ＳＥＧ０〜ＳＥＧ２及び共通電極ＣＯＭの持つ容量の
違いによる電圧変化の違いが、キックバック現象の発生に影響していることが推測される
。以下に、その推測理由について詳しく説明する。
【００４７】
すなわち、共通電極ＣＯＭが電気泳動表示パネル１の略全域にわたって形成されている
のに対して、各セグメント電極ＳＥＧ（例えば、セグメント電極ＳＥＧ１）が電気泳動表
示パネル１を複数個に分割した領域（セグメント）に形成される電極であることから、共
通電極ＣＯＭの電極面積は、セグメント電極ＳＥＧ１のそれよりも極めて大きく形成され
る。そのため、共通電極ＣＯＭの持つ容量は、セグメント電極ＳＥＧ１の持つ容量よりも
大きくなる。これにより、図３に示すように、Ｈｉ−Ｚ設定後に、大きな容量を持つ共通
電極ＣＯＭの電圧ＶＣＯＭが緩やかに低下するのに対して、共通電極ＣＯＭよりも小さな
容量しかないセグメント電極ＳＥＧ１の電圧ＶＳＥＧ１が急嵯に低下することになる。そ
の結果、駆動中にはＶＣＯＭ≦ＶＳＥＧ１の大小関係を維持していたセグメント電極ＳＥ
Ｇ１と共通電極ＣＯＭとの電圧関係が、Ｈｉ−Ｚ設定後からの期間Ｔ１１においてＶＣＯ
Ｍ＞ＶＳＥＧ１の大小関係になってしまう。セグメント電極ＳＥＧ１と共通電極ＣＯＭと
の電圧関係がＶＣＯＭ＞ＶＳＥＧ１になると、黒表示していたセグメント電極ＳＥＧ１に
対応するセグメントにおいて、黒粒子３１Ｂがセグメント電極ＳＥＧ１側に、白粒子３１
Ｗが共通電極ＣＯＭ側に移動して白表示しようとする。これにより、キックバック現象が
発生するものと考えられる。
【００４８】
そこで、本実施形態の電気泳動表示装置では、各セグメント電極ＳＥＧ０〜ＳＥＧ２と
低電位電源ＶＳＳとの間に、キャパシタＣ１をそれぞれ接続するようにした。このキャパ
シタＣ１の追加により、各セグメント電極ＳＥＧ０〜ＳＥＧ２の持つ容量が増大され、そ
の各セグメント電極ＳＥＧ０〜ＳＥＧ２の持つ容量が共通電極ＣＯＭのそれよりも大きく
なる。これによって、図４に示すように、Ｈｉ−Ｚ設定後の各セグメント電極ＳＥＧ１の
電圧変化を共通電極ＣＯＭの電圧変化よりも緩やかにすることができる。従って、駆動中
に高電位電源ＨＶＤＤの印加されていたセグメント電極ＳＥＧ１と共通電極ＣＯＭとの電
圧関係を、Ｈｉ−Ｚ設定後においてもＶＣＯＭ≦ＶＳＥＧ１の大小関係に維持することが
できる。その結果、各セグメントにおいてキックバック現象が起こりにくくなる。
【００４９】
以上説明したように、本実施形態によれば、以下の効果を奏することができる。
（１）本実施形態によれば、各セグメント電極ＳＥＧ０〜ＳＥＧ２と低電位電源ＶＳＳ
との間に、キャパシタＣ１をそれぞれ接続するようにした。これによって、各セグメント
電極の持つ容量が増大されるため、駆動中に高電位電源ＨＶＤＤが印加されているセグメ
ント電極ＳＥＧ１のＨｉ−Ｚ設定後における電圧変化を緩やかにすることができる。その
結果、Ｈｉ−Ｚ設定後においても、そのセグメント電極ＳＥＧ１と共通電極ＣＯＭとの電
圧関係を、ＶＣＯＭ≦ＶＳＥＧ１の大小関係に維持することができるため、キックバック
現象の発生を好適に抑制することができる。これにより、キックバック現象による視認性
の悪化を軽減することができる。
【００５０】
また、キックバック現象の発生を未然に抑制することができるため、特許文献３の駆動
方法のように、Ｈｉ−Ｚ設定後に再度駆動電圧を印加する必要がないため、消費電力の増
大を抑制することができる。
【００５１】
（第２実施形態）
以下、本発明を電気泳動表示装置に具体化した第２実施形態について、図５及び図６に
従って説明する。この実施形態は、共通電極ＣＯＭに印加される共通電極電圧ＶＣＯＭの
制御が上記第１実施形態と異なっている。以下、第１実施形態との相違点を中心に説明す
る。
【００５２】
図５に示すように、白表示すべきセグメント電極ＳＥＧ０には低電位電源ＶＳＳの駆動
電圧ＶＳＥＧ０が印加されるとともに、黒表示すべきセグメント電極ＳＥＧ１には高電位
電源ＨＶＤＤの駆動電圧ＶＳＥＧ１が印加される。また、共通電極ＣＯＭには、高電位電
源ＨＶＤＤと低電位電源ＶＳＳとが所定期間ごとに反転される反転駆動電圧が共通電極電
圧ＶＣＯＭとして印加される。
【００５３】
共通電極ＣＯＭに反転駆動電圧が所定周期印加されると、電気泳動表示パネル１に所望
の表示パターンが形成される。すなわち、ここではセグメント電極ＳＥＧ０に対応するセ
グメントが白表示となり、セグメント電極ＳＥＧ１に対応するセグメントが黒表示となる
。
【００５４】
次に、電気泳動表示パネル１への表示パターンの形成（分散系の駆動）が終了すると、
共通電極ＣＯＭ及び各セグメント電極ＳＥＧ０〜ＳＥＧ２への電圧印加が停止され、各電
極がハイインピーダンス（Ｈｉ−Ｚ）に設定されて電気泳動表示パネル１の表示パターン
が保持される。
【００５５】
このとき、本実施形態では、低電位電源ＶＳＳの共通電極電圧が共通電極ＣＯＭに印加
されている期間に分散系の駆動を終了するように設定している。すなわち、共通電極ＣＯ
Ｍに低電位電源ＶＳＳが印加されているときに、各電極への電圧の印加が停止されて各電
極がＨｉ−Ｚに設定されるようになっている。これによって、図６に示すように、Ｈｉ−
Ｚ設定時に共通電極ＣＯＭの電圧ＶＣＯＭが低電位電源ＶＳＳとなるため、Ｈｉ−Ｚ設定
後に、その共通電極ＣＯＭの電圧ＶＣＯＭがセグメント電極ＳＥＧ１の電圧ＶＳＥＧ１よ
りも高電圧になることが回避される。従って、駆動中に高電位電源ＨＶＤＤの印加されて
いたセグメント電極ＳＥＧ１と共通電極ＣＯＭとの電圧関係を、Ｈｉ−Ｚ設定後において
もＶＣＯＭ≦ＶＳＥＧ１の大小関係に維持することができる。その結果、各セグメントに
おいてキックバック現象が起こりにくくなる。
【００５６】
以上、説明したように、実施形態によれば、第１実施形態の（１）の作用効果に加えて
以下の効果を奏する。
（２）本実施形態によれば、共通電極ＣＯＭに低電位電源ＶＳＳを印加しているときに
、各電極をハイインピーダンスに設定するようにした。これによって、図６に示すように
、Ｈｉ−Ｚ設定時に共通電極ＣＯＭの電圧ＶＣＯＭが低電位電源ＶＳＳとなるため、Ｈｉ
−Ｚ設定後に、その共通電極ＣＯＭの電圧ＶＣＯＭがセグメント電極ＳＥＧ１の電圧ＶＳ
ＥＧ１よりも高電圧になることが回避される。その結果、キックバック現象の発生をより
好適に抑制することができる。
【００５７】
（第３実施形態）
次に、第１及び第２実施形態で説明した電気泳動表示装置の電子機器への適用について
図７に従って説明する。
【００５８】
図７（ａ）は、電子機器の一例である電子ブックの構成を示す斜視図である。この電子
ブック１００は、ブック形状のフレーム１０１と、このフレーム１０１に対して回動自在
に設けられた（開閉可能な）カバー１０２と、操作部１０３と、上記電気泳動表示装置に
よって構成された表示部１０４と、を備えている。
【００５９】
図７（ｂ）は、電子機器の一例である腕時計の構成を示す斜視図である。この腕時計１
１０は、上記電気泳動表示装置によって構成された表示部１１１を備えている。
図７（ｃ）は、電子機器の一例である電子ペーパの構成を示す斜視図である。この電子
ペーパ１２０は、紙と同様の質感及び柔軟性を有するリライタブルシートで構成される本
体部１２１と、上記電気泳動表示装置によって構成された表示部１２２を備えている。
【００６０】
これらの場合でも、電気泳動表示装置により構成された表示部１０４，１１１，１２２
は上記第１実施形態あるいは上記第２実施形態と同様の効果を発揮する。その結果、電子
ブック１００、腕時計１１０及び電子ペーパ１２０は、消費電力を抑制しつつも、キック
バック現象の発生が抑制され、視認性の悪化を軽減することができる。
【００６１】
（他の実施形態）
なお、上記実施形態は、これを適宜変更した以下の態様にて実施することもできる。
・上記各実施形態では、信号線Ｓ０〜Ｓ２を介して、各セグメント電極ＳＥＧ０〜ＳＥ
Ｇ２と低電位電源ＶＳＳとの間にキャパシタＣ１を接続するようにした。これに限らず、
例えば図８に示されるように、信号線Ｓ０〜Ｓ２を介さずに、各セグメント電極ＳＥＧ０
〜ＳＥＧ２と低電位電源ＶＳＳとの間にキャパシタＣ１を接続するようにしてもよい。
【００６２】
・上記各実施形態では、セグメント方式の電気泳動表示装置に具体化したが、画素回路
にメモリ回路を備えるアクティブマトリクス方式の電気泳動表示装置に具体化してもよい
。すなわち、図１０に示すように、分散系を介して共通電極ＣＯＭと対向される分割電極
を構成する画素電極Ｐと、スイッチング用トランジスタＱ１を介して入力されるデータ信
号を保持するメモリ回路Ｍとを備える画素回路Ｇにおいて、画素電極Ｐに接続される信号
線ＳＰと低電位電源ＶＳＳとの間にキャパシタＣ１を接続するようにしてもよい。なお、
ここでは、メモリ回路Ｍは、２つのＣＭＯＳインバータ回路ＩＮＶ１，ＩＮＶ２により構
成されている。
【００６３】
・上記第２実施形態におけるキャパシタＣ１を省略するようにしてもよい。第２実施形
態の場合には、キャパシタＣ１を省略したとしても、図９に示すように、駆動中に高電位
電源ＨＶＤＤの印加されていたセグメント電極ＳＥＧ１と共通電極ＣＯＭとの電圧関係を
、Ｈｉ−Ｚ設定後においてもＶＣＯＭ≦ＶＳＥＧ１の大小関係に維持することができる。
その結果、各セグメントにおいてキックバック現象が起こりにくくなる。これによれば、
キャパシタＣ１等の回路素子を追加することなく、各電極をハイインピーダンスに設定す
るタイミングの制御という簡易な制御のみによって、キックバック現象の発生を好適に抑
制することができる。
【００６４】
・上記第３実施形態で説明した電気泳動表示装置を搭載した電子機器としては、他にも
、例えば携帯電話、屋外の標識、カーナビゲーション装置、電子手帳、電卓、ＰＯＳ端末
、タッチパネルを備えた機器等などが挙げられる。すなわち、電気泳動表示装置をこれら
の機器に適用した場合でも、上記各実施形態と同様な効果を奏する。
【００６５】
・上記各実施形態では、マイクロカプセル３０内に、負に帯電した白粒子３１Ｗと、正
に帯電した黒粒子３１Ｂと、分散媒３２とを封止するようにしたが、これに制限されない
。例えば、マイクロカプセル３０内に、正に帯電した白粒子と、負に帯電した黒粒子と、
分散媒とを封止するようにしてもよい。また、マイクロカプセル３０内に、黒色に着色さ
れた分散媒と、正に帯電した白色の電気泳動粒子とを封止するようにしてもよい。あるい
は、カラー表示をおこなうための電気泳動粒子及び分散媒をマイクロカプセル３０内に封
止するようにしてもよい。
【００６６】
・上記各実施形態では、２値表示の電気泳動表示装置について説明した。これに加えて
、階調表示可能な電気泳動表示装置に適用してもよい。
・上記各実施形態では、電気泳動粒子３１及び分散媒３２をマイクロカプセル３０に封
止するマイクロカプセル方式に具体化したが、マイクロカプセル３０の代わりに隔壁によ
って、電気泳動粒子３１及び分散媒３２を区分けするようにしてもよい。また、マイクロ
カプセル３０を使用しない垂直型電気泳動方式あるいは水平型電気泳動方式に適用しても
よい。
【図面の簡単な説明】
【００６７】
【図１】第１実施形態の電気泳動表示装置を示す説明図。
【図２】第１実施形態の電気泳動表示装置の駆動方法を示すタイミングチャート。
【図３】従来の電気泳動表示装置におけるハイインピーダンス設定後の電圧変化を示す特性図。
【図４】第１実施形態の電気泳動表示装置におけるハイインピーダンス設定後の電圧変化を示す特性図。
【図５】第２実施形態の電気泳動表示装置の駆動方法を示すタイミングチャート。
【図６】第２実施形態の電気泳動表示装置におけるハイインピーダンス設定後の電圧変化を示す特性図。
【図７】（ａ）〜（ｃ）は、それぞれ電子機器の一例を示す斜視図。
【図８】変形例の電気泳動表示装置を示す説明図。
【図９】変形例の電気泳動表示装置におけるハイインピーダンス設定後の電圧変化を示す特性図。
【図１０】変形例の電気泳動表示装置の画素回路を示す回路図。
【図１１】従来の電気泳動表示装置を示す断面図。
【図１２】従来の電気泳動表示装置の駆動方法を示すタイミングチャート。
【図１３】従来の電気泳動表示装置の画素回路を示す回路図。
【符号の説明】
【００６８】
Ｃ１…容量素子としてのキャパシタ、Ｓ０〜Ｓ２，ＳＰ…信号線、ＶＳＳ…低電位電源
、ＨＶＤＤ…高電位電源、ＳＥＧ０〜ＳＥＧ２…分割電極を構成するセグメント電極、Ｐ
…分割電極を構成する画素電極、ＣＯＭ…共通電極、Ｍ…メモリ回路、Ｇ…画素回路、１
…電気泳動表示パネル、２…制御回路としての駆動装置、３０…マイクロカプセル、３１
…分散系を構成する電気泳動粒子、３２…分散系を構成する分散媒、１００…電子ブック
、１１０…腕時計，１２０…電子ペーパ。
【図１】
2008242382.tif 000003
【図２】
2008242382.tif 000004
【図３】
2008242382.tif 000005
【図４】
2008242382.tif 000006
【図５】
2008242382.tif 000007
【図６】
2008242382.tif 000008
【図７】
2008242382.tif 000009
【図８】
2008242382.tif 000010
【図９】
2008242382.tif 000011
【図１０】
2008242382.tif 000012
【図１１】
2008242382.tif 000013
【図１２】
2008242382.tif 000014
【図１３】
2008242382.tif 000015